(57)【要約】【課題】  殺菌・消臭・防腐等の作用があり、かつコストの低い容器を提供する。【解決手段】  容器の材質が、ノニオン樹脂性とチタン、ノニオン樹脂とアクリル樹脂とチタン、ノニオン樹脂、アクリル樹脂、紙、パルプ、トウモロコシ、及びチタンの混合物からなる。容器形状とは、内部に物を入れることができる全てのものを言い、袋状、箱状、カップ状等の好適なものを含む。内部には、お菓子その他の好適な物を入れることができる。いずれも上部を閉じることにより内部に入れたお菓子等がこぼれないようにすることができる。【選択図】        図１
2005206239.tif 000002
【特許請求の範囲】
【請求項１】
材質がノニオン樹脂であることを特徴とする容器。
【請求項２】
材質が、アクリル樹脂とノニオン樹脂との混合物であることを特徴とする容器。
【請求項３】
前記ノニオン樹脂は、８０重量％以上含有されていることを特徴とする請求項２に記載の容器。
【請求項４】
前記アクリル樹脂は、アクアキープであることを特徴とする請求項２に記載の容器。
【請求項５】
前記ノニオン樹脂は、ポリビニールアルコールとポリエチレンオキサイドとの混合物であることを特徴とする請求項１乃至３のいずれか１項に記載の容器。
【請求項６】
前記ノニオン樹脂は、ポリビニールアルコールとポリエチレンオキサイドとポリアルキレンオキサイドとの混合物であることを特徴とする請求項１乃至３のいずれか１項に記載の容器。
【請求項７】
材質が、ノニオン樹脂とチタンとの混合物であることを特徴とする容器。
【請求項８】
材質が、ノニオン樹脂とチタンと紙との混合物であることを特徴とする容器。
【請求項９】
材質が、ノニオン樹脂とチタンとパルプとの混合物であることを特徴とする容器。
【請求項１０】
材質が、ノニオン樹脂とチタンとトウモロコシとの混合物であることを特徴とする容器。
【請求項１１】
材質が、ノニオン樹脂とチタンと紙とパルプとの混合物であることを特徴とする容器。
【請求項１２】
材質が、ノニオン樹脂とチタンと紙とトウモロコシとの混合物であることを特徴とする容器。
【請求項１３】
材質が、ノニオン樹脂とチタンとパルプとトウモロコシとの混合物であることを特徴とする容器。
【請求項１４】
材質が、ノニオン樹脂とチタンとパルプとトウモロコシと紙との混合物であることを特徴とする容器。
【請求項１５】
前記ノニオン樹脂は、８０重量％以上含有されていることを特徴とする請求項７乃至１４のいずれか１項に記載の容器。
【請求項１６】
前記ノニオン樹脂は、ポリビニールアルコールとポリアルキレンオキサイドとの混合物であることを特徴とする請求項７乃至１５のいずれか１項に記載の容器。
【請求項１７】
前記ノニオン樹脂は、ポリビニールアルコールとポリエチレンオキサイドとポリアルキレンオキサイドとの混合物であることを特徴とする請求項７乃至１５のいずれか１項に記載の容器。
【請求項１８】
材質が、ノニオン樹脂とアクリル樹脂とチタンとの混合物であることを特徴とする容器。
【請求項１９】
材質が、ノニオン樹脂とアクリル樹脂とチタンと紙との混合物であることを特徴とする容器。
【請求項２０】
材質が、ノニオン樹脂とアクリル樹脂とチタンとパルプとの混合物であることを特徴とする容器。
【請求項２１】
材質が、ノニオン樹脂とアクリル樹脂とチタンとトウモロコシとの混合物であることを特徴とする容器。
【請求項２２】
材質が、ノニオン樹脂とアクリル樹脂とチタンと紙とパルプとの混合物であることを特徴とする容器。
【請求項２３】
材質が、ノニオン樹脂とアクリル樹脂とチタンと紙とトウモロコシとの混合物であることを特徴とする容器。
【請求項２４】
材質が、ノニオン樹脂とアクリル樹脂とチタンとパルプとトウモロコシとの混合物であることを特徴とする容器。
【請求項２５】
材質が、ノニオン樹脂とアクリル樹脂とチタンとパルプとトウモロコシと紙との混合物であることを特徴とする容器。
【請求項２６】
前記ノニオン樹脂は、８０重量％以上含有されていることを特徴とする請求項１８乃至２５のいずれか１項に記載の容器。
【請求項２７】
前記ノニオン樹脂は、ポリビニールアルコールとポリアルキレンオキサイドとの混合物であることを特徴とする請求項１８乃至２６のいずれか１項に記載の容器。
【請求項２８】
前記ノニオン樹脂は、ポリビニールアルコールとポリエチレンオキサイドとポリアルキレンオキサイドとの混合物であることを特徴とする請求項１８乃至２６のいずれか１項に記載の容器。
【請求項２９】
前記アクリル樹脂は、アクアキープであることを特徴とする請求項１８乃至２８のいずれか１項に記載の容器。
【発明の詳細な説明】
【技術分野】
【０００１】
本発明は、化粧品、食料品、インテリアグッズ等を入れる容器に関するものである。
【背景技術】
【０００２】
従来、容器の透明性を重視して、容器本体をポリプロピレン系樹脂、又はポリスチレン系樹脂で構成されることが開示されている。（特許文献１）
【０００３】
また、紙とプラスチック層が積層された積層シートを打ち抜いてなるブランク板を成形金型内に挿入し、樹脂を射出成形することにより、樹脂とブランク板とを一体化成形して形成される容器であって、そのブランク板の最内層と射出成形樹脂部とが、ポリプロピレン系樹脂又はポリエステル系樹脂で形成されると共に、ブランク板の外面の発泡層が低密度ポリエチレン又はその共重合体で形成されていることが開示されいる。（特許文献２）
【０００４】
【特許文献１】特開２００４−６７１４０号公報（第２〜４頁）
【０００５】
【特許文献２】特開２００３−３４１７５２号公報（第２〜４頁）
【発明の開示】
【発明が解決しようとする課題】
【０００６】
しかしながら、従来の容器そのものには、吸湿、吸臭、防腐、殺菌の性質はなく、吸湿剤、吸臭剤等を別途入れる必要があるという問題点があった。
【０００７】
また、従来の容器そのものには、ほぼ全体がプラスチック、ポリプロピレン、ポリスチレン、若しくはポリエチレンからなるので、販売コストが高いと共に、処分する時に環境汚染を起こる問題があった。
【０００８】
本発明は斯かる問題点を鑑みてなされたものであり、殺菌・消臭・防腐等の作用があり、かつコストの低い容器を提供することを目的とする。
【課題を解決するための手段】
【０００９】
上記課題を解決すべく本発明の容器は、以下に掲げる構成とした。
請求項１に記載の容器は、その材質がノニオン樹脂であることを特徴とする。
請求項２に記載の容器は、その材質が、アクリル樹脂とノニオン樹脂との混合物であることを特徴とする。
上記容器に関しては、前記アクリル樹脂は、アクアキープである。
上記容器に関しては、前記ノニオン樹脂は、８０重量％以上含有されている。また、前記ノニオン樹脂は、ポリビニールアルコールとポリエチレンオキサイドとの混合物であり、或いはポリビニールアルコールとポリエチレンオキサイドとポリアルキレンオキサイドとの混合物である。
請求項７に記載の容器は、その材質が、ノニオン樹脂とチタンとの混合物であることを特徴とする。
請求項８に記載の容器は、その材質が、ノニオン樹脂とチタンと紙との混合物であることを特徴とする。
請求項９に記載の容器は、その材質が、ノニオン樹脂とチタンとパルプとの混合物であることを特徴とする。
請求項１０に記載の容器は、その材質が、ノニオン樹脂とチタンとトウモロコシとの混合物であることを特徴とする。
請求項１１に記載の容器は、その材質が、ノニオン樹脂とチタンと紙とパルプとの混合物であることを特徴とする。
請求項１２に記載の容器は、その材質が、ノニオン樹脂とチタンと紙とトウモロコシとの混合物であることを特徴とする。
請求項１３に記載の容器は、その材質が、ノニオン樹脂とチタンとパルプとトウモロコシとの混合物であることを特徴とする。
請求項１４に記載の容器は、その材質が、ノニオン樹脂とチタンとパルプとトウモロコシと紙との混合物であることを特徴とする。
上記請求項７乃至１４に記載の容器に関しては、前記ノニオン樹脂は、８０重量％以上含有されている。また、前記ノニオン樹脂は、ポリビニールアルコールとポリエチレンオキサイドとの混合物であり、或いはポリビニールアルコールとポリエチレンオキサイドとポリアルキレンオキサイドとの混合物である。
請求項１８に記載の容器は、その材質が、ノニオン樹脂とアクリル樹脂とチタンとの混合物であることを特徴とする。
請求項１９に記載の容器は、その材質が、ノニオン樹脂とアクリル樹脂とチタンと紙との混合物であることを特徴とする。
請求項２０に記載の容器は、その材質が、ノニオン樹脂とアクリル樹脂とチタンとパルプとの混合物であることを特徴とする。
請求項２１に記載の容器は、その材質が、ノニオン樹脂とアクリル樹脂とチタンとトウモロコシとの混合物であることを特徴とする。
請求項２２に記載の容器は、その材質が、ノニオン樹脂とアクリル樹脂とチタンと紙とパルプとの混合物であることを特徴とする。
請求項２３に記載の容器は、その材質が、ノニオン樹脂とアクリル樹脂とチタンと紙とトウモロコシとの混合物であることを特徴とする。
請求項２４に記載の容器は、その材質が、ノニオン樹脂とアクリル樹脂とチタンとパルプとトウモロコシとの混合物であることを特徴とする。
請求項２５に記載の容器は、その材質が、ノニオン樹脂とアクリル樹脂とチタンとパルプとトウモロコシと紙との混合物であることを特徴とする。
上記請求項１８乃至２５に記載の容器に関しては、前記ノニオン樹脂は、８０重量％以上含有されている。また、前記ノニオン樹脂は、ポリビニールアルコールとポリエチレンオキサイドとの混合物であり、或いはポリビニールアルコールとポリエチレンオキサイドとポリアルキレンオキサイドとの混合物である。
上記請求項１８乃至２５に記載の容器に関しては、前記アクリル樹脂は、アクアキープである。
【発明の効果】
【００１０】
以上に説明した本発明によれば、本発明に係る容器は、吸湿、吸臭、防腐の性質を有するノニオン樹脂を用いることで、吸湿剤、吸臭剤等を別途入れる必要がなくなるという効果を奏し、アクリル系樹脂を用いることで、容器の保水性を向上すると共に製品のコストをやすくすることができる。また、容器に紙、パルプ、及びトウモロコシを使用することで、純化学製品よりリサイクル時に環境に優しく、容器のコストをもっと安くする効果を奏する。更に容器には、チタンを入れることで、容器に殺菌作用をもたらすことができる。
【００１１】
ノニオン系樹脂の吸臭・防腐作用と光触媒の殺菌作用により、更に殺菌作用を高めることが可能となり、植物培地や植物用ポットの使用で植物の発根を高め、生育効果を促す容器と成る。又本発明の容器等の使用には紙・パルプ・トウモロコシ等を混合し、植物培地や植物用ポットに使用される他、農作物の土壌の殺菌剤・土壌の改質剤・断熱剤に使用される。特に土壌培地に混入し再度土壌から取り出しが可能とし、ダイオキシン等産業廃棄物や残留農薬等の土壌に混入物を除去する等に使用される。又土壌培地の乾燥や雑草の繁殖の防止に使用され、植物培地の保水剤や断熱材の使用が可能となる。ポリビニルアルコールは紙やトウモロコシの混合使用で植物用培地や植物用ポットの他野菜・食品等の容器やダンボールの使用が可能となる。
【発明を実施するための最良の形態】
【００１２】
以下、本発明の実施の形態を図面に基づいて詳細に説明する。
また、本発明の実施の形態に用いる容器の材質は、ノニオン樹脂、ノニオン樹脂とアクリル樹脂との混合物、ノニオン樹脂とチタンとの混合物、ノニオン樹脂と紙とチタンとの混合物、ノニオン樹脂とパルプとチタンとの混合物、ノニオン樹脂とトウモロコシとチタンとの混合物、ノニオン樹脂と紙とパルプとチタンとの混合物、ノニオン樹脂と紙とトウモロコシとチタンとの混合物、ノニオン樹脂とパルプとトウモロコシとチタンとの混合物、ノニオン樹脂とパルプと紙とトウモロコシとチタンとの混合物、ノニオン樹脂とアクリル樹脂とチタンとの混合物、ノニオン樹脂とアクリル樹脂と紙とチタンとの混合物、ノニオン樹脂とアクリル樹脂とパルプとチタンとの混合物、ノニオン樹脂とアクリル樹脂とトウモロコシとチタンとの混合物、ノニオン樹脂とアクリル樹脂と紙とパルプとチタンとの混合物、ノニオン樹脂とアクリル樹脂と紙とトウモロコシとチタンとの混合物、ノニオン樹脂とアクリル樹脂とパルプとトウモロコシとチタンとの混合物、ノニオン樹脂とアクリル樹脂とパルプとトウモロコシと紙とチタンとの混合物である。
【００１３】
ポリビニールアルコールとポリエチレンオキサイドとの混合物でもよい、ポリビニールアルコールとポリエチレンオキサイドとポリアルキレンオキサイドとの混合物でもよい。また、上記の容器の材質におけるアクリル樹脂は、アクアキープである。また、上記の容器の材質は、ノニオン樹脂を含有する混合物である場合、ノニオン樹脂の含有量が８０重量％以上である。
【００１４】
（第１の実施の形態）
図１乃至３に示すように、第１の実施の形態に係る容器１，２，３は外輪書く袋状の物である。図１に示す容器は、円筒状をなしている。他の容器２は、内部に物を入れない状態において紙状をなしている。その他の容器は、図３に示すようにバッグ状をなしている。容器３は、外輪郭袋状なしている。材質は、上記のすべての材料の混合物が適用する。内部には、お菓子その他の好適な物を入れることができる。いずれも上部を閉じることにより内部に入れたお菓子等がこぼれないようにすることができる。
【００１５】
（第２の実施の形態）
図４に示す第２の実施の形態に係る容器４は、外輪郭箱状なし、符号４ａが本体、同４ｂが蓋体をなしている。材質は、上記のすべての材料の混合物が適用する。内部には、お弁当その他の好適な物を入れることができる。
【００１６】
（第３の実施の形態）
図５に示す第３の実施の形態に斯かる容器５は、カップ状をなし、所謂園芸用のポットであり、植物の苗等を入れることができる。材質は、上記のすべての材料の混合物が適用する。
【００１７】
（第４の実施の形態）
図６に示す第４の実施の形態に係る容器６は、舟状をなし、内部には刺身その他の好適な食材等を入れることができる。材質は、上記のすべての材料の混合物が適用する。
【００１８】
（第５の実施の形態）
図７に示す第５の実施の形態に係る容器７は、段ボール箱のように自身に蓋を備え、内部には、衣類その他の物を入れることができる。材質は、上記のすべての材料の混合物が適用する。
【００１９】
（第６の実施の形態）
図８に示す第６の実施の形態に係る容器８は、横断面外輪郭矩形の筒状をなす外箱８ａと、内箱８ｂとから構成されている。内部には、本発明を実施するに当たって好適な物を入れることができる。材質は、上記のすべての材料の混合物が適用する。
【００２０】
（第７の実施の形態）
図９に示す第７の実施の形態に係る容器９は、片面上方にファスナーが設けられている。内部には、本発明を実施するに当たって好適な物を入れることができる。材質は、上記のすべての材料の混合物が適用する。
【００２１】
実施の形態に係る容器は上記の如く構成されているので、以下に掲げる効果を奏する。
ノニオン樹脂の表面が吸収性・吸着性があるので、上記容器１〜９は内部の入れた物から吸湿、吸臭することができる。
また、適度に吸湿するので刺身等の生ものの表面が乾燥することはない。
また、ノニオン樹脂は毒性がないので内部に食物を入れて問題はない。
また、カビの胞子等も吸着するので、防カビ効果も期待することができる。
また、チタンが殺菌作用があるので、容器及び入れ物の保鮮ができる。
また、アクリル樹脂の保水性とコスト的な安さ、及び紙、パルプ、トウモロコシが、環境に優しく、容器全体のコストダウンも図ることができる。
更に、本発明の容器は、植物の発根を高め、生育効果を促す効果がある。
【００２２】
なお、本実施の形態においては、本発明はそれに限定されず、本発明を適用する上で好適な容器に適用することができる。また、本発明における容器とは、内部に物を入れることができる全てのものを言い、袋状、箱状、カップ状等、本発明を実施するに当たって好適なものを含む。
【００２３】
また、上記構成部材の数、位置、形状等は上記実施の形態に限定されず、本発明を実施する上で好適な数、位置、形状等にすることができる。
【図面の簡単な説明】
【００２４】
【図１】第１の実施の形態に係る容器の斜視図である。
【図２】第１の実施の形態の他の実施の形態に係る容器の正面図である。
【図３】第１の実施の形態のその他の実施の形態に係る容器の正面図である。
【図４】第２の実施の形態に係る容器の斜視図である。
【図５】第３の実施の形態に係る容器の斜視図である。
【図６】第４の実施の形態に係る容器の斜視図である。
【図７】第５の実施の形態に係る容器の斜視図である。
【図８】第６の実施の形態に係る容器の斜視図である。
【図９】第７の実施の形態に係る容器の斜視図である。
【符号の説明】
【００２５】
１  容器
２  容器
３  容器
４  容器
４ａ  本体
４ｂ  蓋体
５  容器
６  容器
７  容器
８  容器
８ａ  外箱
８ｂ  内箱
９  容器
【図１】
2005206239.tif 000003
【図２】
2005206239.tif 000004
【図３】
2005206239.tif 000005
【図４】
2005206239.tif 000006
【図５】
2005206239.tif 000007
【図６】
2005206239.tif 000008
【図７】
2005206239.tif 000009
【図８】
2005206239.tif 000010
【図９】
2005206239.tif 000011